(57)【要約】【課題】第２剤を容器本体内に少量ずつ滴下させることが可能で、しかもこの滴下している様子を、容器本体の外側から容易に視認することができる二剤混合容器を提供する。【解決手段】第１剤Ｃ１が収容される容器本体１０と、容器本体１０の口部１０Ａに装着され、第２剤Ｃ２が収容される第２剤収容部２０と、第２剤収容部２０に上方移動可能に装着され、第２剤収容部２０を覆うキャップ３０と、を備え、第２剤収容部２０には、その内部と容器本体１０内とを連通する滴下孔２４が形成され、キャップ３０は、滴下孔２４を閉塞する閉塞部３４を備え、閉塞部３４は、第２剤収容部２０に対するキャップ３０の上方移動に伴い、滴下孔２４を開放し、容器本体１０は、内側が視認可能に形成されている。【選択図】図１
2018122880.tif 000002
【特許請求の範囲】
【請求項１】
第１剤が収容される容器本体と、
前記容器本体の口部に装着され、第２剤が収容される第２剤収容部と、
前記第２剤収容部に上方移動可能に装着され、前記第２剤収容部を覆うキャップと、を備え、
前記第２剤収容部には、その内部と前記容器本体内とを連通する滴下孔が形成され、
前記キャップは、前記滴下孔を閉塞する閉塞部を備え、
前記閉塞部は、前記第２剤収容部に対する前記キャップの上方移動に伴い、前記滴下孔を開放し、
前記容器本体は、内側が視認可能に形成されていることを特徴とする二剤混合容器。
【請求項２】
前記滴下孔は、前記第２剤収容部に複数形成されていることを特徴とする請求項１に記載の二剤混合容器。
【請求項３】
前記第２剤収容部および前記キャップはそれぞれ、内側が視認可能に形成されていることを特徴とする請求項１又は２に記載の二剤混合容器。
【請求項４】
前記キャップは、前記第２剤収容部に対して前記容器本体の中心軸線回りに沿う周方向に回転させることにより、前記第２剤収容部に対して上方移動可能とされていることを特徴とする請求項１から３のいずれか１項に記載の二剤混合容器。
【発明の詳細な説明】
【技術分野】
【０００１】
本発明は、二剤混合容器に関する。
【背景技術】
【０００２】
従来、例えば下記特許文献１に示されるように、第１剤が収容された容器本体と、容器本体の口部に装着され、第２剤が収容された第２剤収容部と、を備えた二剤混合容器が知られている。この二剤混合容器では、第２剤収容部の周壁は、容器本体に対して周方向に回転させることで、上方移動可能とされている。また、第２剤収容部の底壁は、容器本体に対する上方移動が規制されるとともに、周壁から離脱可能とされている。
そして、第２剤収容部の周壁を、容器本体に対して回転させて上方移動させると、第２剤収容部の底蓋が周壁から離脱し、第２剤収容部内の第２剤が、底蓋とともに容器本体内に落下することで流入し、第１剤と第２剤とが混合される。
【先行技術文献】
【特許文献】
【０００３】
【特許文献１】特開２００３−２９２０５９号公報
【発明の概要】
【発明が解決しようとする課題】
【０００４】
しかしながら、前記従来の二剤混合容器では、第２剤収容部の底蓋が周壁から離脱した際に、全ての第２剤が瞬時に容器本体内に流入する。また、第２剤が容器本体内に流入している様子を容器本体の外側から視認することが困難であった。
【０００５】
そこで本発明は、前述した事情に鑑みてなされたものであり、第２剤を容器本体内に少量ずつ滴下させることが可能で、しかもこの滴下している様子を、容器本体の外側から容易に視認することができる二剤混合容器を提供することを目的とする。
【課題を解決するための手段】
【０００６】
前記課題を解決するために、第１剤が収容される容器本体と、前記容器本体の口部に装着され、第２剤が収容される第２剤収容部と、前記第２剤収容部に上方移動可能に装着され、前記第２剤収容部を覆うキャップと、を備え、前記第２剤収容部には、その内部と前記容器本体内とを連通する滴下孔が形成され、前記キャップは、前記滴下孔を閉塞する閉塞部を備え、前記閉塞部は、前記第２剤収容部に対する前記キャップの上方移動に伴い、前記滴下孔を開放し、前記容器本体は、内側が視認可能に形成されていることを特徴とする。
【０００７】
この発明によれば、第２剤収容部を覆うキャップを、第２剤収容部に対して上方に移動させると、容器本体内と第２剤収容部内とを連通する滴下孔から、キャップの閉塞部が上方に向けて離間することで、滴下孔を開放することができる。これにより、第２剤収容部内と容器本体内とを連通することができ、滴下孔を通して、第２剤収容部内の第２剤を容器本体内に少量ずつ滴下させて、第１剤と第２剤とを混合することができる。
また容器本体が、内側が視認可能に形成されているので、第２剤が容器本体内に滴下している様子を、容器本体の外側から容易に視認することができる。
【０００８】
また、前記滴下孔は、前記第２剤収容部に複数形成されてもよい。
この場合には、複数の滴下孔を通して第２剤を容器本体内に滴下させることが可能になり、第２剤を容器本体内に少量ずつ滴下させるような構成であっても、全ての第２剤を容器本体内に流入させるのに要する時間を短く抑えることができる。
【０００９】
また、前記第２剤収容部および前記キャップはそれぞれ、内側が視認可能に形成されてもよい。
この場合には、滴下孔の容器本体に対する位置によらず、第２剤を容器本体内に滴下している様子を、二剤混合容器の外側から確実に視認することができる。
【００１０】
また、前記キャップは、前記第２剤収容部に対して前記容器本体の中心軸線回りに沿う周方向に回転させることにより、前記第２剤収容部に対して上方移動可能とされてもよい。
この場合には、キャップを第２剤収容部に対して周方向に回転させるだけで、キャップが第２剤収容部に対して上方移動し、閉塞部が滴下孔から上方に向けて離間して、滴下孔を開放することが可能になる。このため、滴下孔を開放して第２剤を容器本体内に滴下させる際に、キャップにその他の操作をする必要が無く、二剤混合容器に優れた操作性を具備させることができる。
【発明の効果】
【００１１】
本発明によれば、第２剤を容器本体内に少量ずつ滴下させることが可能で、しかもこの滴下している様子を、容器本体の外側から容易に視認することができる。
【図面の簡単な説明】
【００１２】
【図１】本発明の第１実施形態に係る二剤混合容器の一部縦断面図である。
【図２】図１に示す第二剤収容部に第２剤を充填する際の、（ａ）上面図、（ｂ）一部縦断面図である。
【図３】図１に示す二剤混合容器のキャップを第２剤収容部に対して周方向に回転させて上方移動させた際の、一部縦断面図である。
【図４】図１に示す二剤混合容器の口部に、第２剤収容部およびキャップに替えて、付替えキャップを装着した状態を示す半縦断面図である。
【図５】本発明の第２実施形態に係る二剤混合容器の、一部縦断面図である。
【図６】図５に示す第２剤収容部に第２剤を充填する前の、容器本体および第２剤収容部における（ａ）上面図、（ｂ）縦断面図である。
【図７】図６に示す第２剤収容部に閉塞環を配設した際の、容器本体および第２剤収容部における（ａ）上面図、（ｂ）縦断面図である。
【図８】図５に示すキャップを、第２剤収容部に対して周方向に回転させて上方移動させた際、の一部縦断面図である。
【発明を実施するための形態】
【００１３】
（第１実施形態）
以下、図１から図４を参照して、本発明の第１実施形態に係る二剤混合容器１について説明する。なお、以下の説明に用いる各図面では、各部材を認識可能な大きさとするために縮尺を適宜変更している。
【００１４】
図１に示すように、二剤混合容器１は、第１剤Ｃ１が収容される容器本体１０と、容器本体１０の口部１０Ａに装着され、第２剤Ｃ２が収容される第２剤収容部２０と、第２剤収容部２０に移動可能に装着され、第２剤収容部２０を覆うキャップ３０と、を備えている。
第１剤Ｃ１および第２剤Ｃ２は、流動性を有していれば、液体であってもよいし、固体（紛体）であってもよい。例えば、第１剤Ｃ１と第２剤Ｃ２とのうちの一方が液体で、他方が固体（紛体）であってもよい。
【００１５】
第１剤Ｃ１と第２剤Ｃ２とが混合された混合物としては、例えば、化粧料、消臭剤、芳香剤、農業用薬剤、若しくは接着剤等の薬剤、あるいは食品（調味料）等が挙げられる。
また、第１剤Ｃ１と第２剤Ｃ２とが混合された混合物としては、希釈液としての第１剤Ｃ１中に、濃縮剤としての第２剤Ｃ２を添加して、有効成分を適切な濃度に希釈したもの、第１剤Ｃ１と第２剤Ｃ２とを混合することで気体を発生する等、新たな性質を示すもの、あるいは第１剤Ｃ１に、例えば芳香成分や調味料等の第２剤Ｃ２を単に添加したもの等が挙げられる。
【００１６】
容器本体１０は上面視で円形状を呈する有底筒状をなし、容器本体１０の口部１０Ａの外周面には、第１雄ねじ部１１が形成されている。
以下の説明において、容器本体１０の中心軸線Ｏに沿う方向を上下方向といい、上下方向に沿う容器本体１０の底部１０Ｄ側を下側、その反対側を上側という。また、上下方向から見た平面視において、中心軸線Ｏに直交する方向を径方向といい、中心軸線Ｏ回りに周回する方向を周方向という。
【００１７】
第２剤収容部２０は、第２剤Ｃ２が収容される有底筒状の収容部本体２１と、容器本体１０の口部１０Ａに装着された装着部２２と、を備えている。収容部本体２１および装着部２２は一体に形成されている。
収容部本体２１は中心軸線Ｏと同軸に配置されている。図示の例では、装着部２２は、収容部本体２１の下端部に配設されている。なお、装着部２２は、収容部本体２１と別体に形成されてもよいし、収容部本体２１のうち、下端部を除く部分に配設されてもよい。
収容部本体２１の収容底部２１Ａは、径方向の外側に向かうに従い漸次、上方に向けて延びるテーパ状に形成されている。収容部本体２１における収容周壁２１Ｂの内径は、上下方向の全域にわたって同等となっている。なお、収容周壁２１Ｂの内径は、上下方向の全域にわたって同等でなくてもよい。
【００１８】
装着部２２の外形は、上面視で円形状を呈している。装着部２２は中心軸線Ｏと同軸に配置されている。
装着部２２は、収容部本体２１の下端部における外周面から、径方向の外側に向けて突出するフランジ部２２Ａと、フランジ部２２Ａの下面から下方に向けて延び、容器本体１０の口部１０Ａに装着される装着筒部２２Ｂと、フランジ部２２Ａの径方向の外端部から下方に向けて延び、装着筒部２２Ｂを径方向の外側から囲繞する囲繞筒部２２Ｃと、フランジ部２２Ａの上面から上方に向けて延びる被装着筒部２２Ｄと、を備えている。
装着部２２の収容周壁２１Ｂのうち、フランジ部２２Ａよりも上方に位置する部分の外径は、上方に向かうに従い漸次、僅かに縮径している。
【００１９】
フランジ部２２Ａの外形は、上面視で円形状を呈している。フランジ部２２Ａ、装着筒部２２Ｂ、囲繞筒部２２Ｃ、および被装着筒部２２Ｄはそれぞれ、中心軸線Ｏと同軸に配置されている。フランジ部２２Ａにおける径方向の内端部には、フランジ部２２Ａを上下方向に貫く通気孔２２Ｅが形成されている。通気孔２２Ｅは、周方向に間隔をあけて複数形成されている。なお、通気孔２２Ｅは１つ形成されてもよい。
【００２０】
フランジ部２２Ａの下面のうち、通気孔２２Ｅと装着筒部２２Ｂとの間に位置する部分は、シール材６０を介して容器本体１０の口部１０Ａにおける上端開口縁に密に当接している。
装着筒部２２Ｂの内周面には、第１雌ねじ部２２Ｆが形成されている。第１雌ねじ部２２Ｆが、容器本体１０の口部１０Ａに形成された第１雄ねじ部１１と螺合することで、装着部２２が容器本体１０の口部１０Ａに装着される。
【００２１】
囲繞筒部２２Ｃの上下方向の大きさは、装着筒部２２Ｂよりも大きく、容器本体１０の口部１０Ａと同等となっている。囲繞筒部２２Ｃの下端部は、容器本体１０の肩部１０Ｂにおける径方向の外端部に、上下方向に近接している。囲繞筒部２２Ｃの外周面、および容器本体１０における胴部１０Ｃの外周面それぞれの径方向の位置は、互いに同等となっている。
【００２２】
被装着筒部２２Ｄの上下方向の大きさは、囲繞筒部２２Ｃよりも大きくなっている。図示の例では、被装着筒部２２Ｄの上下方向の大きさは、囲繞筒部２２Ｃの２倍以上となっている。なお、被装着筒部２２Ｄの上下方向の大きさは、囲繞筒部２２Ｃよりも小さくてもよい。
被装着筒部２２Ｄの上端部、および収容部本体２１における収容周壁２１Ｂの上端部それぞれの上下方向の位置は、互いに同等となっている。被装着筒部２２Ｄの外周面には第２雄ねじ部２２Ｇが形成されている。
【００２３】
キャップ３０は、第２剤収容部２０に上方移動可能に装着され、第２剤収容部２０を覆う有頂筒状のキャップ本体３１と、キャップ本体３１に装着された有頂筒状の蓋体３２と、を備えている。キャップ本体３１および蓋体３２はそれぞれ、中心軸線Ｏと同軸に配置されている。
キャップ本体３１の周壁３１Ａ、および装着部２２の被装着筒部２２Ｄそれぞれの上下方向の大きさが、互いに同等となっている。
キャップ本体３１の周壁３１Ａにおける内周面には、第２雌ねじ部３１Ｂが形成されている。第２雌ねじ部３１Ｂが、被装着筒部２２Ｄに形成された第２雄ねじ部２２Ｇに螺合することで、キャップ本体３１が第２剤収容部２０に装着される。
【００２４】
キャップ本体３１の周壁３１Ａの下端部は、装着部２２におけるフランジ部２２Ａの上面と、上下方向に近接している。周壁３１Ａの外周面、および容器本体１０における胴部１０Ｃの外周面それぞれの径方向の位置は、互いに同等となっている。
ここで、装着部２２の囲繞筒部２２Ｃ、およびキャップ３０のキャップ本体３１の各外周面には、第２剤Ｃ２を滴下孔２４から容器本体１０内に滴下する際の、キャップ３０および第２剤収容部２０の相対的な周方向の位置を認識可能にする第１表示部２３および第２表示部３３が各別に形成されている。これにより、第１表示部２３および第２表示部３３の周方向の各位置が一致するまで、キャップ３０および第２剤収容部２０を相対的に周方向に回転させることで、第２剤Ｃ２が滴下孔２４から容器本体１０内に滴下される。
【００２５】
キャップ本体３１の頂壁３１Ｃには、上方に向けて突出する嵌合筒部３１Ｄが形成されている。嵌合筒部３１Ｄは中心軸線Ｏと同軸に配置されている。嵌合筒部３１Ｄの上端部には、径方向の外側に向けて突出する係止突部３１Ｅが形成されている。係止突部３１Ｅは、嵌合筒部３１Ｄの上端部に、全周にわたって形成されている。
キャップ本体３１の頂壁３１Ｃには、頂壁３１Ｃを上下方向に貫く充填孔３１Ｆが形成されている。図２に示すように、充填孔３１Ｆは周方向に間隔をあけて複数形成されている。充填孔３１Ｆを通して、第２剤収容部２０の収容部本体２１内に、第２剤Ｃ２を充填することができる。
頂壁３１Ｃにおいて、周方向に隣り合う充填孔３１Ｆ同士の間に位置する部分が、径方向に延び、後述する閉塞部３４に接続された接続リブ３１Ｊとなっている。
【００２６】
図１に示すように、頂壁３１Ｃの下面には、収容部本体２１における収容周壁２１Ｂの上端部と、装着部２２における被装着筒部２２Ｄの上端部と、が当接している。
頂壁３１Ｃの下面には、下方に向けて突出し、収容周壁２１Ｂの上端部内に嵌合された第１シール筒部３１Ｈが形成されている。第１シール筒部３１Ｈの内周面は、充填孔３１Ｆの内周面のうち、径方向の内側を向く外側面、および嵌合筒部３１Ｄの内周面と、上下方向に真直ぐ連なっている。
また、頂壁３１Ｃの下面には、下方に向けて突出し、被装着筒部２２Ｄの上端部内に嵌合された第２シール筒部３１Ｇが形成されている。
【００２７】
蓋体３２は、キャップ本体３１を上方から覆い、中心軸線Ｏと同軸に配置されている。蓋体３２の周壁３２Ａの下端部は、キャップ本体３１における頂壁３１Ｃの上面に上下方向に近接している。蓋体３２における周壁３２Ａの外周面、および容器本体１０における胴部１０Ｃの外周面それぞれの径方向の位置は、互いに同等となっている。
蓋体３２における天壁３２Ｂの下面には、下方に向けて突出し、キャップ本体３１の嵌合筒部３１Ｄに外嵌される固定筒部３２Ｃが形成されている。
【００２８】
固定筒部３２Ｃの下端部には、径方向の内側に向けて突出する被係止突部３２Ｄが形成されている。被係止突部３２Ｄは、固定筒部３２Ｃの下端部に、全周にわたって形成されている。被係止突部３２Ｄが、嵌合筒部３１Ｄの係止突部３１Ｅに、係止突部３１Ｅの下方から係止されることで、蓋体３２がキャップ本体３１に上下方向に固定される。
蓋体３２における天壁３２Ｂの下面には、下方に向けて突出し、キャップ本体３１の嵌合筒部３１Ｄ内に嵌合された第３シール筒部３２Ｅが形成されている。
【００２９】
そして本実施形態では、第２剤収容部２０に、その内部と容器本体１０内とを連通する滴下孔２４が形成されている。滴下孔２４は、収容部本体２１における収容底部２１Ａの径方向の中央部に形成され、収容底部２１Ａを上下方向に貫いている。滴下孔２４は、中心軸線Ｏと同軸に配置されている。
収容底部２１Ａの下面における滴下孔２４の開口周縁部には、下方に向けて突出する案内筒部２２Ｈが形成されている。案内筒部２２Ｈは、中心軸線Ｏと同軸に配置されている。案内筒部２２Ｈの内周面は、滴下孔２４の内周面と上下方向に連なっている。案内筒部２２Ｈおよび滴下孔２４それぞれの内径は、上下方向の全域にわたって互いに同等となっている。
【００３０】
案内筒部２２Ｈの下端開口縁は、中心軸線Ｏに直交する平面に対して傾斜して形成されている。このため、後述する滴下孔２４を通した第２剤Ｃ２の容器本体１０内への滴下時において、滴下孔２４を通して案内筒部２２Ｈ内に流入した第２剤Ｃ２が、案内筒部２２Ｈの下端部のうち、下方に位置する部分への流下を促され、案内筒部２２Ｈの下端開口縁における最下部から容器本体１０内に滴下される。これにより、仮に第２剤Ｃ２が粘性の高い液体等であっても、滴下孔２４内および案内筒部２２Ｈ内で第２剤Ｃ２が滞留するのを抑えることが可能になり、第２剤Ｃ２を、滴下孔２４から容器本体１０内に円滑に滴下させることができる。
【００３１】
また本実施形態では、キャップ３０は、滴下孔２４を閉塞する閉塞部３４を備えている。閉塞部３４は上下方向に沿って延びる円柱状をなしている。閉塞部３４は、中心軸線Ｏと同軸に配置されている。
閉塞部３４は、キャップ本体３１における頂壁３１Ｃの下面から下方に向けて延びている。閉塞部３４の下端部が、滴下孔２４内に滴下孔２４の上方から挿入されることで、滴下孔２４を閉塞している。閉塞部３４の下端部の外径が、滴下孔２４の内径よりわずかに大きくなっている。
閉塞部３４の外径は、下方に向かうに従い漸次、縮径している。このため、滴下孔２４内に閉塞部３４の下端部が挿入される際に、閉塞部３４の下端に位置し、滴下孔２４の内径よりも小さい部分から、滴下孔２４内に確実に挿入することができる。
【００３２】
また本実施形態では、閉塞部３４は、第２剤収容部２０に対するキャップ３０の上方移動に伴い、滴下孔２４を開放する。図示の例では、図３に示されるように、閉塞部３４はキャップ本体３１の第２剤収容部２０に対する上方移動に伴い、収容部本体２１に対して上方に向けて移動する。これにより、閉塞部３４の下端部が、収容底部２１Ａの滴下孔２４から上方に向けて離間することで、滴下孔２４を開放する。
【００３３】
また本実施形態では、容器本体１０、第２剤収容部２０、およびキャップ３０はそれぞれ、内側が視認可能に形成されている。容器本体１０、第２剤収容部２０、およびキャップ３０はそれぞれ、例えば透明又は半透明な合成樹脂材料等といった内側が視認可能な材質で形成されている。図示の例では、容器本体１０、第２剤収容部２０、およびキャップ３０は、互いに同一の材質により形成されている。なお、容器本体１０、第２剤収容部２０、およびキャップ３０のうちの少なくとも１つが、他と異なる材質により形成されてもよい。
【００３４】
また本実施形態では、キャップ３０は、第２剤収容部２０に対して周方向に回転させることにより、第２剤収容部２０に対して上方移動可能とされている。図示の例では、キャップ本体３１の周壁３１Ａに形成された第２雌ねじ部３１Ｂと、装着部２２における被装着筒部２２Ｄの外周面に形成された第２雄ねじ部２２Ｇと、が螺合していることにより、キャップ本体３１は、第２剤収容部２０に対する周方向の回転に伴って、上方移動可能とされている。
【００３５】
次に、上述のように構成された二剤混合容器１の作用について説明する。
まず、図２に示すように、容器本体１０に第１剤Ｃ１を収容し、第２剤収容部２０、およびキャップ３０のキャップ本体３１を、この順にそれぞれ装着する。この際、キャップ本体３１の閉塞部３４により、収容部本体２１の滴下孔２４が閉塞される。
そして、キャップ本体３１における頂壁３１Ｃの充填孔３１Ｆを通して、第２剤Ｃ２を第２剤収容部２０の収容部本体２１内に充填し、図１に示すように、キャップ本体３１の嵌合筒部３１Ｄに、蓋体３２を装着する。
【００３６】
次に、図３に示すように、第１剤Ｃ１と第２剤Ｃ２とを混合する際には、第２剤収容部２０の装着部２２、およびキャップ３０のキャップ本体３１をともに把持し、装着部２２に対してキャップ本体３１を周方向に回転させる。この際、装着部２２の囲繞筒部２２Ｃの外周面に設けられた第１表示部２３が、キャップ本体３１の周壁３１Ａの外周面に設けられた第２表示部３３と周方向に一致するように、キャップ本体３１を装着部２２に対して回転させる。これにより、キャップ３０が第２剤収容部２０に対して所定量、上方移動する。
【００３７】
ここで、第１雄ねじ部１１および第２雄ねじ部２２Ｇを、逆ねじの関係としてもよい。このような場合には、キャップ３０を第２剤収容部２０に対して回転させる際に、第２剤収容部２０の装着部２２を把持しなくても、装着部２２が容器本体１０の口部１０Ａから離脱することが無い。
【００３８】
そして、キャップ３０の第２剤収容部２０に対する上方移動に伴い、キャップ本体３１の閉塞部３４が、収容部本体２１に対して上方に向けて移動し、閉塞部３４の下端部が、収容底部２１Ａの滴下孔２４から上方に向けて離間することで、滴下孔２４が開放される。
これにより、容器本体１０内と収容部本体２１内とが連通し、滴下孔２４を通して、収容部本体２１内の第２剤Ｃ２が、容器本体１０内に滴下され、第１剤Ｃ１と第２剤Ｃ２とが容器本体１０内で混合される。なお、第２剤Ｃ２が、滴下孔２４を通して容器本体１０内に滴下される様子は、二剤混合容器１の外側から視認することができる。
【００３９】
最後に、収容部本体２１内の第２剤Ｃ２が、全て容器本体１０内に滴下され、第１剤Ｃ１と第２剤Ｃ２との混合が完了すると、容器本体１０の口部１０Ａから、第２剤収容部２０およびキャップ３０を取り外す。この際、第２剤収容部２０の装着部２２を容器本体１０の口部１０Ａから取り外すことで、一度に、第２剤収容部２０およびキャップ３０を、容器本体１０の口部１０Ａから取り外すことができる。
そして図４に示すように、容器本体１０の口部１０Ａに、新たに付替えキャップ４０を装着した上で、第１剤Ｃ１と第２剤Ｃ２とを混合した混合物を使用する。
【００４０】
ここで付替えキャップ４０は、容器本体１０の口部１０Ａに装着されるとともに、頂壁４１Ａに吐出孔４１Ｂが形成された有頂筒状の吐出筒部４１と、吐出筒部４１に図示しないヒンジ部４３を介して連結されるとともに、吐出孔４１Ｂを閉塞する栓体４２Ａを備えたヒンジ蓋４２と、を備えている。なお、付替えキャップ４０としては、このような態様に限られず、他の構成を備えていてもよい。また、付替えキャップ４０に替えて、例えば容器本体１０の口部１０Ａに上方付勢状態で下方移動可能に立設されたステムを有するポンプ等を、容器本体１０の口部１０Ａに装着してもよい。
【００４１】
以上説明したように、本実施形態に係る二剤混合容器１によれば、第２剤収容部２０を覆うキャップ３０を、第２剤収容部２０に対して上方に移動させると、容器本体１０内と第２剤収容部２０内とを連通する滴下孔２４から、キャップ３０の閉塞部３４が上方に向けて離間することで、滴下孔２４を開放することができる。これにより、第２剤収容部２０内と容器本体１０内とを連通することができ、滴下孔２４を通して、第２剤収容部２０内の第２剤Ｃ２を容器本体１０内に少量ずつ滴下させて、第１剤Ｃ１と第２剤Ｃ２とを混合することができる。
また容器本体１０が、内側が視認可能に形成されているので、第２剤Ｃ２が容器本体１０内に滴下している様子を、容器本体１０の外側から容易に視認することができる。
【００４２】
また、第２剤収容部２０およびキャップ３０がそれぞれ、内側が視認可能に形成されているので、滴下孔２４の容器本体１０に対する位置によらず、第２剤Ｃ２を容器本体１０内に滴下している様子を、二剤混合容器１の外側から確実に視認することができる。
また、キャップ３０を第２剤収容部２０に対して周方向に回転させるだけで、キャップ３０が第２剤収容部２０に対して上方移動し、キャップ３０の閉塞部３４を滴下孔２４から上方に向けて離間させることで、滴下孔２４を開放することが可能になる。このため、滴下孔２４を開放して第２剤Ｃ２を容器本体１０内に滴下する際に、キャップ３０にその他の操作をする必要が無く、二剤混合容器１に優れた操作性を具備させることができる。
【００４３】
（第２実施形態）
次に、図５から図８を参照して、本発明の第２実施形態に係る二剤混合容器２について説明する。なお、この第２実施形態においては、第１実施形態における構成要素と同一の部分については同一の符号を付し、その説明を省略する。また、同一の作用についても、その説明を省略する。
【００４４】
図５および図６に示すように、本実施形態に係る二剤混合容器２では、滴下孔２４Ｂは、第２剤収容部２０Ｂに複数形成されている。第２剤収容部２０Ｂにおける収容部本体２６の収容底部２７は、収容部本体２６における収容周壁２６Ｂから径方向の内側に向けて延びる外周部２７Ａと、外周部２７Ａから径方向の内側に向けて延び、外周部２７Ａよりも上方に位置する内周部２７Ｂと、を備えている。
【００４５】
収容底部２７は上面視で円形状をなし、中心軸線Ｏと同軸に配置されている。収容底部２７のうち、外周部２７Ａと内周部２７Ｂとの接続部分は、径方向の内側に向かうに従い漸次、上方に向けて延びている。外周部２７Ａにおける径方向の外端部は、径方向の外側に向かうに従い漸次、上方に向けて延びている。
【００４６】
収容周壁２６Ｂの内周面には、径方向の内側に向けて突出し、上下方向に延びる案内リブ２６Ａが、周方向に間隔をあけて複数形成されている。図示の例では、案内リブ２６Ａは、周方向に等間隔をあけて４つ形成されている。
案内リブ２６Ａは、収容周壁２６Ｂの内周面における上下方向の上端を除く全域にわたって形成され、収容底部２７の外周部２７Ａにおける径方向の外端部の上面と接続されている。
【００４７】
そして本実施形態では、滴下孔２４Ｂは、収容底部２７の外周部２７Ａに、周方向に間隔をあけて複数形成されている。滴下孔２４Ｂは、収容底部２７の外周部２７Ａにおける径方向の外端部より径方向の内側に配置されている。複数の滴下孔２４Ｂは、中心軸線Ｏを中心とする同心円上に、周方向に間隔をあけて配置されている。図示の例では、滴下孔２４Ｂは、周方向に等間隔をあけて４つ形成されている。
複数の滴下孔２４Ｂ、および複数の案内リブ２６Ａそれぞれの周方向の位置は、互いに同等となっている。なお、このような態様に限られず、複数の滴下孔２４Ｂ、および複数の案内リブ２６Ａそれぞれの周方向の位置を、互いに異ならせてもよい。
【００４８】
また本実施形態では、図５および図７に示すように、キャップ３０Ｂの閉塞部３４Ｂは、滴下孔２４Ｂを閉塞する閉塞環５０と、キャップ３０Ｂの第２剤収容部２０に対する上方移動に伴い、閉塞環５０を引き上げる引き上げ部３５と、を備えている。閉塞環５０および引き上げ部３５は別体に形成されている。
閉塞環５０は、環状に形成されるとともに、中心軸線Ｏと同軸に配置されている。閉塞環５０の外径は、収容部本体２６における収容周壁２６Ｂの内径よりも小さい。
【００４９】
閉塞環５０の外周面には、径方向の内側に向けて窪むとともに、閉塞環５０を上下方向に貫く被案内凹部５１が、周方向に間隔をあけて複数形成されている。図示の例では、被案内凹部５１は、周方向に等間隔をあけて４つ形成されている。そして被案内凹部５１内に、収容部本体２６の案内リブ２６Ａが、各別に挿入されている。後述するキャップ３０Ｂの第２剤収容部２０Ｂに対する上方移動に際して、案内リブ２６Ａが被案内凹部５１内に挿入された状態で、閉塞環５０が上方移動する。これにより、閉塞環５０は収容部本体２６内を中心軸線Ｏに対して傾くことなく上方移動することができる。
【００５０】
閉塞環５０の下面には、下方に向けて突出する閉塞突起５２が形成されている。閉塞突起５２は周方向に間隔をあけて複数形成されている。図示の例では、周方向に等間隔をあけて４つ形成されている。そして閉塞突起５２が、収容底部２７の滴下孔２４Ｂ内に、滴下孔２４Ｂの上方から各別に挿入されている。これにより、滴下孔２４Ｂが閉塞されている。なお、滴下孔２４Ｂおよび閉塞突起５２の数量は、このような態様に限られず、２つ以上で任意に変更可能である。
【００５１】
閉塞環５０のうち、外周面と内周面との間に位置する部分には、閉塞環５０を上下方向に貫く流通孔５３が形成されている。流通孔５３は周方向に間隔をあけて複数形成されている。図示の例では、流通孔５３は周方向に等間隔をあけて４つ形成されている。
流通孔５３の内周面のうち、径方向の内側を向く外側面は、下方に向かうに従い漸次、径方向の内側に向けて延びている。このように、閉塞環５０に流通孔５３が形成されていることにより、後述する第２剤Ｃ２の滴下時において、収容部本体２６内から滴下孔２４Ｂに向けた第２剤Ｃ２の流通量を確保することができる。
【００５２】
閉塞環５０の上面における開口周縁部は、径方向の内側に向かうに従い漸次、下方に向けて延びている。
閉塞環５０の下面における開口周縁部には、下方に向けて突出する当接筒部５４が形成されている。当接筒部５４は、収容底部２７の内周部２７Ｂの上面に当接している。
閉塞環５０の内周面には、径方向の内側に向けて突出する引き上げ被係合部５５が形成されている。引き上げ被係合部５５は、閉塞環５０の内周面に全周にわたって形成されている。引き上げ被係合部５５の下端部と、当接筒部５４の上端部と、が、上下方向に連なっている。
【００５３】
また、図５に示すように、本実施形態のキャップ３０Ｂの頂壁３１Ｃは、第２剤収容部２０Ｂの上方を、第２剤収容部２０Ｂの全域にわたって覆っている。
引き上げ部３５は、キャップ３０Ｂの頂壁３１Ｃにおける下面の径方向の中央部に形成されている。引き上げ部３５の下端部は、閉塞環５０に係合している。引き上げ部３５は上下方向に沿って延びる円柱状をなし、中心軸線Ｏと同軸に配置されている。引き上げ部３５の外径は、下方に向かうに従い漸次、縮径している。
引き上げ部３５の下端部の外径は、閉塞環５０の内径と同等となっている。引き上げ部３５の下端部は、閉塞環５０の内側に、閉塞環５０の上方から挿入されている。
【００５４】
引き上げ部３５の下端部には、径方向の外側に向けて突出する引き上げ係合部３５Ａが、形成されている。引き上げ係合部３５Ａは、引き上げ部３５の下端部に全周にわたって形成されている。引き上げ係合部３５Ａは、閉塞環５０の引き上げ被係合部５５に、引き上げ被係合部５５の下方から係合している。これにより、後述するキャップ３０Ｂの上方移動に伴い、引き上げ部３５が閉塞環５０を引き上げることができる。
【００５５】
次に、上述のように構成された二剤混合容器２の作用について説明する。
図８に示すように、第１剤Ｃ１が容器本体１０内に、第２剤Ｃ２が収容部本体２６内にそれぞれ収容された状態で、キャップ３０Ｂを装着部２２に対して周方向に回転させる。これにより、キャップ３０Ｂが第２剤収容部２０Ｂに対して上方移動するのに伴い、引き上げ部３５が収容部本体２６に対して上方移動し、閉塞環５０を引き上げる。
【００５６】
そして、閉塞環５０の閉塞突起５２が、収容底部２７の滴下孔２４Ｂから上方に向けて離間することで、滴下孔２４Ｂが開放され、第２剤Ｃ２が流通孔５３、および収容部本体２６における収容周壁２６Ｂの内周面と、閉塞環５０の外周面と、の間を流通して閉塞環５０の下方に到達し、複数の滴下孔２４Ｂを通して容器本体１０内に滴下される。
【００５７】
以上説明したように、本実施形態に係る二剤混合容器２によれば、複数の滴下孔２４Ｂを通して第２剤Ｃ２を容器本体１０内に滴下させることが可能になり、第２剤Ｃ２を容器本体１０内に少量ずつ滴下させるような構成であっても、全ての第２剤Ｃ２を容器本体１０内に流入させるのに要する時間を短く抑えることができる。
【００５８】
本発明は上記した実施の形態に限定されるものではなく、その趣旨を逸脱しない範囲で適宜変更可能である。
【００５９】
例えば、上記各実施形態においては、第２剤収容部２０、２０Ｂおよびキャップ３０、３０Ｂがそれぞれ、内側が視認可能に形成されている構成を示したが、このような態様に限られない。第２剤収容部２０、２０Ｂおよびキャップ３０、３０Ｂのうちの少なくとも一方が、内側が視認できない材質で形成されてもよい。
また、容器本体１０は、少なくとも第２剤Ｃ２が滴下されている様子が、容器本体１０の外側から視認可能に形成されていればよい。そのため、例えば、容器本体１０の胴部１０Ｃに印刷、塗装等の加飾を行ったり、ラベル等の貼り付けを行ったり、または、シュリンクラベルで覆う等することで、装飾性を向上させてもよい。
【００６０】
また、上記各実施形態においては、キャップ３０、３０Ｂが、第２剤収容部２０、２０Ｂに対して周方向に回転させることにより、第２剤収容部２０、２０Ｂに対して上方移動可能とされている構成を示したが、このような態様に限られない。キャップ３０、３０Ｂが、第２剤収容部２０、２０Ｂに対して周方向に回転させることなく、第２剤収容部２０、２０Ｂに対して上方移動可能とされてもよい。
【００６１】
また、上記各実施形態では、第２剤収容部２０、２０Ｂが装着部２２を備える構成を示したが、このような態様に限られない。第２剤収容部２０、２０Ｂが、装着部２２を備えず、例えば収容部本体２１が容器本体１０の口部１０Ａ内に嵌合されることで装着されるような構成であってもよい。このような場合には、キャップ３０、３０Ｂは収容部本体２１の外周面に装着されてもよい。
【００６２】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００６３】
１、２  二剤混合容器
１０  容器本体
２０、２０Ｂ  第２剤収容部
３０、３０Ｂ  キャップ
２４、２４Ｂ  滴下孔
３４、３４Ｂ  閉塞部
【図１】
2018122880.tif 000003
【図２】
2018122880.tif 000004
【図３】
2018122880.tif 000005
【図４】
2018122880.tif 000006
【図５】
2018122880.tif 000007
【図６】
2018122880.tif 000008
【図７】
2018122880.tif 000009
【図８】
2018122880.tif 000010